(57)【特許請求の範囲】
【請求項１】
分与開口部を画成する流出口手段を有する容器用の蓋組立体において、
入れ子式に収納可能で且つ伸長可能な注ぎ口を有する蓋本体であって、前記注ぎ口は、全体として円筒状の部分と、截頭円錐形部分と、前記２つの部分の間の第一の反転可能な折り畳み部分とを有し、前記全体として円筒状の部分は流出口開口部を画成する、前記蓋本体と、
前記流出口開口部を閉鎖し得るよう前記注ぎ口に組み付ける構造及び配置とされた不正開封明示閉鎖キャップと、
前記蓋本体を前記流出口手段に組み付ける手段と、を備え、
前記截頭円錐形部分は、壁と使用時に前記分与開口部に隣接する第二の反転可能な折り畳み部分とを備え、前記第二の反転可能な折り畳み部分は、第一の肉厚を有する第一の壁部と第二の肉厚を有する記憶バンド部分を備えた第二の壁部とを含む複数の壁部を含み、前記記憶バンド部分は、前記第一の壁部と前記分与開口部との間に配置され、前記第二の肉厚が前記第一の肉厚よりも厚く、前記蓋本体が偏向して容器の中身を特定の方向に排出する選んだ方向の向きになって延びた状態のときに、前記蓋本体が前記選んだ方向の向きを維持することを可能にする構造及び配置とされ、前記第二の反転可能な折り畳み部分は、前記第二の肉厚よりも薄く形成された２つの曲部を有し、前記記憶バンド部分は２つの前記曲部の間に配置される、分与開口部を画成する流出口手段を有する容器用の蓋組立体。
【請求項２】
請求項１に記載の蓋組立体において、前記蓋本体は複数の通気耳状部を有する、蓋組立体。
【請求項３】
請求項２に記載の蓋組立体において、前記複数の通気耳状部は前記載頭円錐形部分に接続される、蓋組立体。
【請求項４】
請求項３に記載の蓋組立体において、蓋本体は、前記全体として円筒状部分の内部に配置され且つ、前記流出口開口部を閉鎖する構造及び配置とされた除去可能な隔膜を有する単一物の成形したプラスチック構成要素である、蓋組立体。
【請求項５】
請求項４に記載の蓋組立体において、前記隔膜に接続された把持部材を更に有し、前記把持部材は、前記把持部材の一部分が前記入れ子式に収納可能で且つ伸長可能な注ぎ口の上端縁の上方を伸びる自由な状態を有する、蓋組立体。
【請求項６】
請求項５に記載の蓋組立体において、前記不正開封明示閉鎖キャップは、前記入れ子式に収納可能で且つ伸長可能な注ぎ口の上端縁を受け入れると共に、前記把持部材の部分を前記全体として円筒状部分内に下方に押し込む構造及び配置とされる、蓋組立体。
【請求項７】
請求項６に記載の蓋組立体において、前記不正開封明示閉鎖キャップは、１対のベールハンドルを有し、ベールハンドルの各々は、相応するヒンジ部分により閉鎖キャップ本体に接続される、蓋組立体。
【請求項８】
請求項７に記載の蓋組立体において、前記ベールハンドルは、複数の易損性要素により前記閉鎖キャップ本体と接続される、蓋組立体。
【請求項９】
組み合わせ体において、
分与開口部を画成する流出口手段を有する容器と、
前記流出口手段と接続する構造及び配置とされた蓋組立体とを備え、前記蓋組立体は、
入れ子式に収納可能で且つ伸長可能な注ぎ口を有する蓋本体であって、前記注ぎ口は、全体として円筒状部分と、截頭円錐形部分と、前記２つの部分の間の第一の反転可能な折り畳み部分とを有し、前記全体として円筒状部分は流出口開口部を画成する前記蓋本体と、
前記流出口開口部を閉鎖し得るよう前記注ぎ口に組み付ける構造及び配置とされた不正開封明示閉鎖キャップと、
前記蓋本体を前記流出口手段に組み付ける手段と、を備え、
前記截頭円錐形部分は、壁と使用時に前記分与開口部に隣接する第二の反転可能な折り畳み部分とを備え、前記第二の反転可能な折り畳み部分は、第一の肉厚を有する第一の壁部と第二の肉厚を有する記憶バンド部分を備えた第二の壁部とを含む複数の壁部を含み、前記記憶バンド部分は、前記第一の壁部と前記分与開口部との間に配置され、前記第二の肉厚が前記第一の肉厚よりも厚く、前記蓋本体が偏向して容器の中身を特定の方向に排出する選んだ方向の向きになって延びた状態のときに、前記蓋本体が前記選んだ方向の向きを維持することを可能にする構造及び配置とされ、前記第二の反転可能な折り畳み部分は、前記第二の肉厚よりも薄く形成された２つの曲部を有し、前記記憶バンド部分は２つの前記曲部の間に配置される、組み合わせ体。
【請求項１０】
請求項９に記載の組み合わせ体において、前記蓋本体は複数の通気耳状部を有する、組み合わせ体。
【請求項１１】
請求項１０に記載の組み合わせ体において、前記複数の通気耳状部は前記載頭円錐形部分に接続される、組み合わせ体。
【請求項１２】
請求項１１に記載の組み合わせ体において、蓋本体は、前記全体として円筒状部分の内部に配置され且つ、前記流出口開口部を閉鎖する構造及び配置とされた除去可能な隔膜を有する単一物の成形したプラスチック構成要素である、組み合わせ体。
【請求項１３】
請求項１２に記載の組み合わせ体において、前記隔膜に接続された把持部材を更に有し、前記把持部材は、一部分が前記入れ子式に収納可能で且つ伸長可能な注ぎ口の上端縁の上方を伸びる自由な状態を有する、組み合わせ体。
【請求項１４】
請求項１３に記載の組み合わせ体において、前記不正開封明示閉鎖キャップは、前記入れ子式に収納可能で且つ伸長可能な注ぎ口の上端縁を受け入れると共に、前記把持部材の部分を前記全体として円筒状部分内に下方に押し込む構造及び配置とされる、組み合わせ体。
【請求項１５】
容器の分与開口部と共に使用される蓋本体において、
全体として円筒状部分と、
協働する截頭円錐形部分と、
前記全体として円筒状部分と前記截頭円錐形部分との間に配置された第一の反転可能な折り畳み部とを備え、前記蓋本体は、入れ子式に収納した状態又は伸長した状態の何れかにて向き決めし得る構造及び配置とされ、前記全体として円筒状部分は流出口開口部を画成し、前記截頭円錐形部分は、壁と使用時に前記分与開口部に隣接する第二の反転可能な折り畳み部分とを備え、前記第二の反転可能な折り畳み部分は、第一の肉厚を有する第一の壁部と第二の肉厚を有する記憶バンド部分を備えた第二の壁部とを含む複数の壁部を含み、前記記憶バンド部分は、前記第一の壁部と前記分与開口部との間に配置され、前記第二の肉厚が前記第一の肉厚よりも厚く、前記蓋本体が選んだ特定の方向の向きに偏向して延びた状態のときに、前記蓋本体が前記選んだ特定の方向の向きを維持することを可能にする構造及び配置とされ、前記第二の反転可能な折り畳み部分は、前記第二の肉厚よりも薄く形成された２つの曲部を有し、前記記憶バンド部分は２つの前記曲部の間に配置される、蓋本体。
【発明の詳細な説明】
【技術分野】
【０００１】
本発明は、全体として、容器の蓋に関し、また、入れ子式に収納可能で且つ伸長可能である注ぎ口（ｓｐｏｕｔ）を有する蓋組立体に関する。より具体的には、本発明は、厚い材料部分を注ぎ口の壁に追加して、注ぎ口を所望の方向に向けて偏向させ且つ固定することができるようにすることに関する。本発明の別の実施の形態において、可撓性の不正開封明示部分が閉鎖キャップに追加され、また、円弧状のバンドの形状とされ且つ、閉鎖キャップの一体部分として製造される。
【背景技術】
【０００２】
全体として本明細書に記載された型式の容器蓋及び蓋組立体は、複数の易損性要素を有する何らかの不正開封明示作用部をしばしば有する。かかる製品の１つは、インディアナ州、オーバーンのリエケ・コーポレーション（Ｒｉｅｋｅ  Ｃｏｒｐｏｒａｔｉｏｎ）からフレックススパウト（ＦＬＥＸＳＰＯＵＴ）（登録商標名）という商標名にて販売されている。この製品は、不正開封明示キャップと、入れ子式に収納可能で且つ伸長可能である注ぎ口を有する蓋本体とを備えている。不正開封明示キャップが注ぎ口のねじ付き端部に螺着し、注ぎ口の内部を介して容器（ドラム）の内容物にアクセスするためにはキャップを取り外さなければならない。１つの配置において、蓋本体は、隆起した取り囲む（環状）壁によって受け入れられ、該壁は、容器の開口部を画成し、また、金属ドラムの端部にて使用されたとき、蓋は、環状の保持部材を有し、該環状の保持部材は蓋本体の外壁部分に嵌まり、また、圧着によって外壁部分を容器の開口部を画成する取り囲む壁に固定する。本発明の蓋組立体に適したその他の構成において、異なる様式の容器及び開口部が使用されている。蓋組立体の構造は、１対のベールハンドルを接続する一連の易損性要素を更に有している。該１対のベールハンドルは、注ぎ口をキャップの他の部分に対して伸ばすために使用される。不正開封明示キャップは、外側環状部分を有しており、プラスチックドラム又容器がフレックススパウト（登録商標名）蓋を受け入れるとき、該外側環状部分は、蓋本体の外壁部分上にスナップ嵌めし且つ、容器の開口部を画成する取り囲む壁に外壁部分を固定する。一連の易損性要素は、不正開封明示キャップの外側環状部分をキャップ本体の他の部分と接続し、特に、注ぎ口を伸ばすために使用される１対のベールハンドルと接続する。
【発明の開示】
【発明が解決しようとする課題】
【０００３】
長い間、その他の者がリエケのフレックススパウト（登録商標名）蓋を模倣しようとした結果、市場にて消費者はより多くの選択肢が提供されているが、それらはコストを伴う。可撓性の閉塞注ぎ口の模倣物の一部では、設計上の信頼性及び予測可能性は得られない。その結果、キャップを装着しようと操作するとき、不正開封明示の易損性要素が破損する可能性がある。不正開封の試みがされなくとも易損性要素は破断することがあることを顧客が知ったならば、その顧客は蓋の状態に注意しなくなる。一方、このことは、少なくとも最終ユーザの顧客の心理に、易損性要素を使用する効果が損なわれる虞れを生じさせることになる。模倣蓋を使用するその他の場合、易損性要素は視認し難しく且つ、これら易損性要素の１つ又はより多くが破断したか否かを判断することは難しい。
【課題を解決するための手段】
【０００４】
本発明の１つの実施の形態において、円弧状バンド部の形状とされ、当初、差し込まれた状態にあり、全体として閉鎖キャップと注ぎ口の外側部分との間にて下方に偏向されることにより、隠れた向きとなる不正開封明示部分が提供される。その後、この不正開封明示バンドは、最初に開放した時点にて展開し、その上面を含むバンド部の大部分が視認可能となり、このことは、一方にて最終ユーザに対し、例えば不正開封の試みが為されたことを警告する方法を提供する。この不正開封明示バンド部は、不正開封の試みが為されたか否かを判断する唯一の手段として何らかの易損性要素を使用することに代替することになる。更に、キャップを装填する操作により、差し込んだ不正開封明示バンド部が展開される危険性は無い。その結果、最終ユーザは、蓋の状況に基づいて全ての不正開封の試みが警告されるという絶対的な保証を得ることができる。無権限の人が閉鎖キャップのベールハンドルを持ち上げて閉鎖キャップを取り外し且つ（又は）注ぎ口を伸ばそうとする全ての試みにより、不正開封明示バンド部（部分）は、その差し込まれ且つ全体として隠れた当初の向きから引き出され、最終ユーザはこの不正開封明示バンド部が視認可能となり、最終ユーザは何らかの不正開封の試みが為されたであろうことを知ることができる。
【０００５】
本発明の追加的な利点は、ある型式のメッセージ、警告又は注意のための標識又はエンボス加工面として不正開封明示バンド部の表面を使用することが可能な点である。不正開封明示バンド部が最初に組み付けられたとき、そのバンド部は差し込まれているため、このメッセージを視認することができず、不正開封明示バンド部が展開される（すなわちその差し込まれた位置から引き出される）迄、隠れたままである。不正開封明示バンド部の上面に表示することのできるメッセージ、警告又は注意の型式は、文字の高さ及び間隔を考慮するならば、表面積によってのみ制限される。
【０００６】
本発明の更なる特徴は、記憶バンドとして機能する伸長可能な注ぎ口の一部としてより厚い厚さの材料部分を追加することである。この記憶バンド部は、伸びた注ぎ口を所望の方向に向けて撓ませ且つ、曲げて、その後、その位置に留まる。その選んだ向きにあるとき、病院のストローが所望の向き方向又は向きに曲がり又は撓むことができ、次に、その向きに留まることを許容するのと同様の構造及び機能である。例えば、ハーマン（Ｈａｍｍａｎ）その他の者に対し１９８６年１０月２１日付けで発行された米国特許明細書４，６１８，０７８号に開示された構造と同様に、通気口付き蓋が使用されるとき、注ぎ口が所望の方向に向けて撓み又は曲がることは、追加的な利点を提供する。容器の中身を排出するため注ぎ口が所望の向きに曲がり又は撓むことは、実際に分与するのに有益な通気耳状部のみを作用させ、その他の通気耳状部を不作用にすることになる。一方、このことは、大きい分与開口部を生じさせ、このため、製品が容器から流れ出し又は分与するときの流量が増す。通気耳状部の幾つかが依然として使用されること、また、作用する通気耳状部は、出る流量に基づいて空気のための十分な経路を及び十分な流動面積を提供することのため、流体製品は、ゴボゴボ音をたてずにドラム又は容器から流れ出る。本発明により提供されるこの改良点は、組み合わせて又は独立的に使用することも可能である。
【０００７】
本発明の１つの実施の形態に従い、分与開口部を有する容器用の蓋組立体は、入れ子式に収納可能で且つ伸長可能な注ぎ口を有する蓋本体であって、該注ぎ口は、全体として円筒状の部分と、截頭円錐形部分と、２つの部分の間の反転可能な折り畳み部分とを有し、全体として円筒状の部分は、流出口開口部を画成する上記蓋本体と、流出口開口部を閉鎖し得るよう注ぎ口に組み付ける構造及び配置とされた不正開封明示閉鎖キャップとを備え、截頭円錐形部分は、第一の肉厚を有する壁と、第一の肉厚よりも厚い第二の肉厚を有する記憶バンド部分とを有し、該記憶バンド部分は、上記蓋本体が偏向して容器の中身を特定の方向に排出する選んだ向きになったとき、上記蓋本体が上記選んだ向きを維持することを可能にする構造及び配置とされている。
【０００８】
本発明の１つの目的は、容器用の改良された蓋組立体を提供することである。
本発明の関連する目的及び有利な効果は、以下の説明から明らかになるであろう。
本発明の原理の理解を促進する目的のため、次に、図面に示した実施の形態について説明し、その説明のために特定の用語を使用する。しかし、これにより本発明の範囲を限定することを意図するものではなく、図示した装置の変更例及び更なる改変例、また、本明細書に示した本発明の原理の更なる適用例は、本発明が関係する技術分野の当業者が通常、案出できるものと考えられることが理解されよう。
【発明を実施するための最良の形態】
【０００９】
図１、図２及び図３を参照すると、本発明に従った蓋組立体２０が示されている。蓋組立体２０は、隆起した環状流出口壁又は容器の開口部端縁又は何らかのその他の開口部の形態であるかどうかを問わずに、構造体を画成する流出口開口部と接続し又はその流出口開口部内に確実に接続し得るような構造及び配置とされている。画成された流出口開口部は、相応する容器又はドラム１９の端部内に配置されている。容器端部１９の上面１９ａは、平坦面であり、また、特定の構造に依存して隆起した環状外壁又は容器開口部を取り囲む。金属ドラムの端部の流出口開口部を画成する隆起した流出口壁が図４に示されている。プラスチックドラムの端部の流出口開口部を画成する隆起した流出口壁が図５に図示されている。図１の図示のため、流出口開口部２１を画成する隆起した金属ドラムの端部の流出口壁を選んだ。
【００１０】
蓋組立体２０は、蓋本体２２と、不正開封明示閉鎖キャップ２３と、環状金属リテーナ２４とを有している。これら３つの構成要素の部品の各々は、蓋本体２２がプラスチックにて成形され、不正開封明示閉鎖キャップ２３がプラスチックにて成形され、リテーナ２４が単一構成要素として金属にて形成される、単一物の構成要素を構成する。蓋本体２２の詳細は図６及び図７に示されている。不正開封明示閉鎖キャップ２３の詳細は図８及び図９に示されている。金属リテーナ２４の詳細は図１２及び図１３に示されている。更に、蓋本体２２と、閉鎖キャップ２３と、リテーナ２４とを含む蓋組立体２０は、容器端部又は流出口開口部無しにて図１０及び図１１に示されている。図１１の図にて拡大詳細図が示されているが、図１０の図面から分かる１つの点は、蓋組立体を図示するよう予め組み付け、次に、容器端部の隆起した流出口壁に取り付け、リテーナを圧着して蓋本体を流出口壁に定着させることができることである。
【００１１】
図１、図２及び図３を続けて参照し且つ、先の説明を考慮するならば、蓋組立体２０は、流出口開口部２１を画成する形成され且つ隆起した流出口壁２７に組み付けられることが理解されるよう。蓋本体２２は、上下逆さの環状通路２９を備えて形成された環状流出口リップ部２８を有する。環状通路２９は、流出口壁２７の上に且つ流出口壁２７の回りに嵌まる。図１参照。このようにして蓋本体２２及び流出口壁２７が組み付けられたならば、環状金属リテーナ２４を蓋本体に予め組み付ける。このことは、金属リテーナ２４を外側リップ部２８の上方で且つ外側リップ部２８の回りに配置することになる。次のステップは、金属リテーナ２４を圧着し、外側リップ部２８を外側流出口壁２７に且つ、流出口壁２７の回りに確実に且つ、緊密に締結して、密封境界面及び確実な環状接続部を形成することである。
【００１２】
不正開封明示閉鎖キャップ２３は、内ねじ付きであり、蓋本体２２の入れ子式に収納可能で且つ伸長可能である注ぎ口３１の分与端部３０は、閉鎖キャップ２３を受け入れ得るように外ねじ付きである。閉鎖キャップ２３は、蓋本体を金属リテーナ２４を使用して流出口壁２７に圧着する前又は圧着した後の何れかにて注ぎ口３１にねじ止めすることができる。しかし、蓋組立体２０をその３つの構成要素部品にて最初に予備的に組み付ける場合、金属リテーナ２４は蓋本体に予め組み付けられることになろう。
【００１３】
図４及び図５を参照すると、流出口開口部２１を画成する隆起した流出口壁２７は、湾曲した上側端縁３４と、垂下する内側リップ部３５とを有する。環状通路２９は、端縁３４の曲率に適合可能な内部幾何学的形態を有しており、このことは、金属リテーナ２４を使用しての圧着工程を容易にする。図５において、流出口開口部３６は隆起した流出口壁３７により画成される。流出口壁３７及びドラム（又は容器）端部３８の単一物のプラスチックの構造は、その成形過程により湾曲した上側端縁３９を提供する。プラスチックドラムが使用されるとき、１つの代替的な設計は、蓋本体と流出口壁との組み合わせ体上にスナップ嵌めする外側環状部分を有するよう不正開封明示キャップを改造することである。キャップのこの外側環状部分は、金属キャップ２４に代替することができる。
【００１４】
図４及び図５を続けて参照すると、流出口壁２７には、湾曲した上側端縁の下方にアンダーカット部又はレリーフ４２が形成される。同様のレリーフ４３が流出口壁３７に成形されている。これらのレリーフ４２、４３は、金属リテーナ２４に対する圧着工程が行われるとき、環状通路２９の材料が動くための隙間空間を提供する。これらのレリーフ４２、４３は、閉鎖キャップ２３のベールハンドル４４、４５を軸方向に向けて上方に引っ張ることにより、蓋本体の注ぎ口３１がその入れ子式の向きから伸びるとき、蓋本体２２が隆起した流出口壁２７から引き出される少しの機会も阻止するのを助けることになる。
【００１５】
次に、図６及び図７を参照し、また、図１、図２及び図３を続けて参照すると、蓋本体２２は、蓋本体を入れ子式に収納した向き（図６参照）から伸びた向き（図１８参照）に変更するとき、その向きを反転させる反転可能な折り畳み部４８を有している。蓋本体２２は、単一物の引っ張りリング５０を有する引き裂き隔膜４９も有している。弱体化した環状目打ち線５１又は環状の分離可能な薄膜が隔膜４９を取り囲み且つ、隔膜の該端縁を注ぎ口３１の内面５２と接続する。引っ張りリング５０は、隔膜４９の１つの端縁部分と接続され、リング５０を上方に引っ張ることにより、隔膜４９を、注ぎ口３１の内側から引き裂くことができる。この引き裂きは、環状目打ち線（又は薄膜）を破断させることで実現される。引っ張りリング５０を使用することの１つの代替例として、この隔膜は、注ぎ口３１とのその単一物接続部から切断して自由にしてもよい。しかし、引っ張りリング５０を使用する方が好ましいと考えられ、それは、弱体化した目打ち線又は薄膜のため、リング５０を連続的に引っ張ったならば、隔膜４９の全体が注ぎ口３１の内部から分離することになるからである。蓋組立体２０の単一物の成形は、引っ張りリング５０及び隔膜４９を単一物の構造とするステップを含む。この適宜なプラスチック材料による成形は、引っ張りリング５０の接続ポスト５０ａを全体として垂直の向きに配置するような態様にて実行される。鋳型の設計によっても引っ張りリング５０は僅かに傾斜した状態に向き決めされる。一部分、隔膜４９が注ぎ口３１内にて軸方向に配置される箇所、また、一部分、引っ張りリング５０の傾斜角度、また、一部分、ポスト５０ａの高さに基づいて、引っ張りリング５０の自由端５０ｂは、注ぎ口３１の上側端縁３１ａの上方を伸びる。不正開封明示キャップ２３（図８及び図９参照）が注ぎ口３１に螺着されると、上側端縁３１ａは、密着嵌め状態に環状通路６０内に押し込まれる。通路６０の半径方向幅に対する円筒状部分５３の厚さによって可撓性の壁６１は、撓み且つ、注ぎ口３１の内面５２に圧力を加えることになる（図１参照）。
【００１６】
注ぎ口３１は、内側の全体として円筒状の部分５３と、外側の載頭円錐形部分５４という２つの部分を有するものと見なすことができる。これらの２つの部分は、反転可能な折り畳み部４８によって分離されている。外側部分５４は、一連の通気耳状部５７を有しており、これらの耳状部は、折り畳み部５８に配置され且つ蓋本体２２がその入れ子式に収納された向きにあるとき、軸方向下方向に垂下する。蓋本体２２、特に注ぎ口３１が伸びたとき、折り畳み部５８は、動き且つ通気耳状部５７を側方向の向きに逆転させる。図１８参照。本明細書にて説明した方向に関して、中心線５９が蓋組立体２０の幾何学的中心を通る長手方向軸線を示す、図１に、典型的な直立の向きが示されている。本明細書にて使用するように、軸方向は中心線５９に対して平行であり、側方向は中心線５９に対して垂直である。
【００１７】
不正開封明示閉鎖キャップ２３が注ぎ口３１に完全にねじ止めされると、内面６２は、引っ張りリング５０の自由端５０ｂを下方に押す。しかし、蓋本体２２に使用されるプラスチックの弾性的性質のため、不正開封明示閉鎖キャップ２３が取り外されたとき、引っ張りリング５０は、上方に撓み（回動し）、自由端５０ｂは、図６に示すように、注ぎ口３１の上側端縁３１ａよりも僅かに上方にてその自由状態に復帰する。引っ張りリング５０の図示した自由状態は自由端５０ｂを上側端面３１ａよりも僅かに上方に向き決めする。隔膜４９をその図示した位置に配置し、また、引っ張りリング５０の構造及び配置によって、隔膜及び引っ張りリングを更に下方に（軸方向に）注ぎ口内に引き込ませる以前の設計と比較して、引っ張りリングにアクセスし且つ、該引っ張りリングを把持することがより容易となる。
【００１８】
閉鎖キャップ２３は、その単一体の成形したプラスチック構造体の一部として、対向状態に配設された１対のベールハンドル４４、４５を有している。ベールハンドル４４、４５の各々は、それぞれ活性ヒンジ６７、６８により閉鎖キャップ２３の他の部分に接続される。当初の形態とされたとき、蓋組立体を開放する前に、ベールハンドル４４、４５は実質的に平坦（平面状）に位置しており、これらのハンドルが位置する幾何学的平面は、容器の端部の平坦な上面１９ａに対して実質的に平行である。円弧状の可撓性の「警告」フラップ６９は、ベールハンドル４４、４５を取り囲み且つ、キャップ２３の成形したプラスチック構造体の一部としてこれらのベールハンドルとの単一物として接続されている。フラップ６９は、所期の用途及び蓋組立体２０に関する周囲の状況に依存して、メッセージをスクリーン印刷し、エンボス加工するか又はその他の何らかの態様にてその他の標識を表示し得るような構造及び配置とされている。１つのベールハンドルのみを有する適宜な蓋組立体を提供することが可能であるから、可撓性の「警告」フラップは、円弧状の形態であるとして説明する。本発明は、閉鎖キャップ２３の回りに実質的に環状のリングを形成する２つのベールハンドルを使用することも考えられるが、フラップ６９は、全体として環状の形状とすることになろう。更なる選択肢は、フラップ６９を約１８０°又はそれより僅かに小さい２つの同様の円弧状断面の形態とすることである。
【００１９】
フラップ６９は、環状の形態又は円弧状断面又は２つの円弧状断面であるかどうかを問わず、最初に偏向させ且つ、図１０及び図１１に示すように、ベールハンドルと金属リテーナ２４との間の空間内に、金属リテーナ２４の環状内壁７０まで下方に差し込む。この偏向し、差し込まれ且つ挿入した状態において、文字又は標識又はエンボス加工の任意のものをフラップ６９の上面に表示することができる。この情報は、視認できず、殆どの場合、フラップ６９は、相応するベールハンドルに接続する（単一物）として示した僅かな部分を除いて視認することはできない。しかし、ベールハンドル４４、４５が持ち上げられると（図１４及び図１５参照）、フラップ６９は展開し、また、フラップのみならず、フラップの上面も視認可能となる。このことは、最終ユーザは、フラップの上面に配置されたメッセージ又は情報又は警告の何れも読むことが可能であることを意味し、また、この上面は、警告するためにも使用され、また、フラップ６９が展開しているならば、不正開封の試みが行われたかもしれないことを最終ユーザに忠告する注意として使用されることを意図するものである。これが、フラップ６９を不正開封明示の展開可能なフラップとして説明する理由である。
【００２０】
何らの標識、文字又はメッセージが無しでも、フラップ６９が展開することは、容器の中身に対する不正開封の試み又は少なくとも蓋組立体を開放しようとする試みが為されたことを示す一方、何らかの型式の警告又は注意メッセージが直接フラップに追加されるならば、フラップ６９がその差し込まれ又は挿入された位置から外に出た場合、誰かが「上流」の何らかの時点にてベールハンドルを持ち上げたこと、及びそれを行う唯一の理由は、蓋組立体を開放しようとする試みであることを認識すべきでことに最終ユーザが気付き且つ理解するのを助けることになる。フラップ６９を使用することは、異なる様式の不正開封明示効果を提供することになり、このことがこれらフラップ６９の構造及び使用を説明する際に、「警告」という語を選んだ理由である。所期のメッセージは、フラップ６９が展開したならば、容器の中身を分与し且つ使用するとき、注意すべきである旨の何らかの型式の記述又は説明である。
【００２１】
ベールハンドル４４、４５が何らかの型式の易損性要素の接続によって固定されるとき、この接続様式は、不正開封試みの別のインジケータとして作用することができよう。しかし、その不正開封明示技術は、典型的に、フラップ６９が使用された場合程、視認できず且つ、明確ではない。更に、現在、リエケのフレックススパウト（登録商標名）の模倣品として販売されている製品の幾つかは、構造及び設計の態様のため易損性要素が破断しており、不正開封の試みが何ら為されないのに易損性要素が破断していることは、最終ユーザが易損性要素の意義に敏感でなくなる傾向を生ずることになる。好ましくは、ベールハンドル４４、４５の何れにも易損性要素は使用されないものとする。
【００２２】
引き裂き隔膜４９が注ぎ口３１の内部に存在し、また、その全内径の回りにて注ぎ口に完全に固定されているはずであることを最終ユーザが知り、また忘失しないならば、引き裂き隔膜４９も不正開封を試みたことの別のインジケータとして作用可能である。不正開封の表示手段としてのこれらの代替例を使用する場合であっても、フラップ６９を実際に役立たずにする唯一の方法は、そのフラップを完全に切断し、ほぼ完全な完璧に滑らかな端縁となるようにすることであるから、警告フラップ６９を使用する方が好ましいと考えられる。フラップ６９の寸法、形状及び材料、不正開封を試みようとする人が利用可能な時間及び工具を考えるならば、かかることは、実際に不可能な作業ではないにしても、極めて困難となる。最終ユーザが、警告フラップが存在すべきであることを知らず又は忘失したときでも、ギザギザ付きの切断端縁は、何らかの不正が為され又は少なくとも不正行為が存在するかもしれないことを最終ユーザに確実に気付かせることになろう。
【００２３】
使用時、ベールハンドル４４、４５の各々が、易損性要素によって下向きに且つ面一の向きに固定されるかどうかを問わず、活性ヒンジ及び当初に成形した状態は、ベールハンドルを下向きで且つ不正開封明示閉鎖キャップ２３の上面と全体として面一の位置に配置することになる。２つのベールハンドルが平面状の向きにあることは、これらのベールハンドルを上面１９ａに対し実質的に平行な幾何学的平面内に配置することになる。しかし、閉鎖キャップ２３を取り外し且つ（又は）注ぎ口３１を引き伸ばす唯一の効果的な方法としてベールハンドルが持ち上げられたとき、活性ヒンジ６７、６８は僅かに塑性変形する。これによって、持ち上げるベールハンドルを解放し且つ閉鎖キャップ２３を注ぎ口３１にねじ止めし且つ（又は）注ぎ口３１を入れ子式に収納した後でも、ベールハンドル４４、４５は僅かに持ち上がった状態に止まる。図１６参照。フラップ６９を図１又は図１１のその当初の状態に、再度、折り畳み又は再度、挿入しようと試みたならば、ベールハンドル４４、４５の活性ヒンジが経験する固着又は変形は、これらのベールハンドルを図１６の持ち上がった向きに復帰させ、このことは、フラップ６９をその差し込まれ又は挿入された状態から引き出し、これによりフラップ及び何らかのメッセージ又は文字を含むフラップ６９の上面は露出した状態に保たれる。ベールハンドル及び活性ヒンジの設計及びプラスチックを選ぶことを考えることによってベールハンドルが平面状の状態に復帰することが可能となる場合でも、展開可能なフラップを再度、差し込むことはできないであろう。フラップの円形の形態又はフラップ断面を円弧状の形態とすることは、プラスチックの弾性を考慮すれば、誰かが１つ又は複数のフラップをそれらの当初の向きに戻すよう再度、折り畳み且つ再度、差し込むのを防止することになると考えられる。
【００２４】
本発明の別の特徴は、図１１の拡大詳細図に最も良く見ることができる。折り畳み部５８として説明した截頭円錐形部分５４の面積又は部分は、全体として点Ａ、Ｂの間に存在する該部分７６に対しより厚い壁を有する。この厚い壁部分７６は、設計により、通気耳状部５７が配置される位置と一致する。部分７６の肉厚は、部分７６に隣接する注ぎ口部分の肉厚の約２倍である。次に、図１９ないし図２３を参照して、より厚い壁部分７６であることの重要性について説明する。第一に、この厚い壁部分７６は、伸びた注ぎ口３１が所望の分与方向に向くように撓むことを許容する。この機構又は少なくともこの機構の原理は、病院で使用されるストローのような可撓性のストローのものと同様である。本発明の注ぎ口３１の折り畳み構造体は、同心状の凹み部又はアコーディオン状ひだを有することを特徴とするかどうかを問わずに、その形状は、プラスチックの性質及びその肉厚と相俟って、注ぎ口３１が図２１に示すように、その撓み又は偏向した所望の向きに止まるようにする。分与すべく、注ぎ口が所望の方向に向けて押され又は引っ張られたとき、厚い記憶バンド部８７は、典型的に、対称に伸びた状態を引き起こす截頭円錐形部分５４内の応力を打ち消す。この打消し又はオーバライド効果は、厚い部分７６の材料の強度、また、隣接する材料又は注ぎ口の本体材料がら旋状に捩れた環状ベルト又は「ゴムバンド」と同様の低応力状態に「ブレークオーバ」することに起因する。この過程を完全に説明すれば、バンド部は、注ぎ口が軸方向に伸びたとき、ほぼ中立の応力状態にある。注ぎ口を「自然の」軸線から離れるように再配置する間、バンド部及び隣接する領域内により大きい不安定な応力状態が存在する。注ぎ口が更に方向変更されると、注ぎ口は、ブレークオーバ状態を経て、応力は再度、低い中立状態にて安定化する。この状態は、開放又は閉塞した状態の何れかにて向き決めし、また、部分的に開放し又は閉塞位置に止まらず又は安定化しない一般的な二次元的な自己閉塞プラスチックヒンジの設計の場合と同様の三次元的な応力状態である。弾性的及び塑性変形及び固着の原理を考えるならば、再度向き決めされたほぼ中立の軸線は、軸方向中心線５９から外れるこの偏向のため、注ぎ口の側部に対して整合することが認識されよう。最終ユーザは、容器から中身を分与する前、注ぎ口３１を分与のため所望の方向に手で押すだけでよく、全体的な幾何学的形態、プラスチックの型式及び厚い壁であることを考えるならば、その厚い部分の構造及び配置のため、注ぎ口は、その選んだ向きに止まることになる。
【００２５】
単に、注ぎ口３１を向き決めすることができ、また、注ぎ口をその選んだ向きに維持することが可能であることから１つの利点を実現することができる。容器から中身を分与するため、所望の（選んだ）向きに維持することにより、最終ユーザは、分与方向を制御することができる。図２３参照。その他の利点が無いにしても、この向き決め能力は、蓋技術における新規で且つ非自明の進歩であるとみなされよう。
【００２６】
しかし、「向き決め可能な」注ぎ口３１と関係した蓋本体が図示し且つ開示した通気耳状部５７を備える形態とされるとき、追加的な利点が実現される。先ず、図１９及び図２０を参照すると、注ぎ口３１が伸びたとき、耳状部５７は、垂直方向から水平方向に逆転し、また、協働して中央流れ開口部７７及び複数の外方通気開口部７８を画成する。この通気の基本的な概念又は設計は、ハーマンその他の者に対して１９９６年１０月１２日付けで発行された米国特許明細書４，６１８，０７８号に開示されている。
【００２７】
注ぎ口３１が所望の向きを実現し得る方向に向けて撓んだとき（図２１参照）、特に、撓み方向に最も近い通気耳状部５７の一部は、水平方向から垂直方向に向けて動くが、完全に垂直方向への向きとはならない。垂直方向向きになる移動範囲又は移動程度は、厚い壁部分７６にて回動する注ぎ口３１の撓み量又は程度によって制御される。通気耳状部の一部が垂直方向に向けて回動するとき、中央流れ開口部７７の寸法及び形状が変化する。断面積は増大し、ほぼ円形の形状は、極く僅かであるが、より楕円形となる。図２２参照。偏向した通気耳状部を有する側部の通気開口部７８は開放するが、その側部から注入するためには、通気は不要である。図１９を参照すると、分与は任意の方向から行われ、従って中央開口部７７の全体の回りに通気開口部を提供しなければならない。流れを向き決めすることが可能であり、「ゴボゴボ音をたてずに」分与するためには、反対側部又は頂側部に通気開口部を設けるだけでよい。
【００２８】
次に、図２３を参照すると、注ぎ口３１の下半分から流れ出るためには、その同一側部に通気開口部７８を必要としないことが理解されよう。通気開口部７８が排出する流れの上方、すなわち注ぎ口３１の反対側部に設けられる限り、分与する流れがゴボゴボ音をたてることはないであろう。通気耳状部を有する蓋組立体を使用することによる利点の全てが本発明により実現されるが、通気耳状部を操作し、また、より大きい断面積を有する中央流れ開口部を設けることにより、より滑らかで且つ迅速に排出される（すなわち、分与される）流れとなるという利点が提供される。
【００２９】
次に、図２４ないし図３２を参照すると、その他の蓋組立体−容器の実施の形態が示されている。図２４ないし図３２の意図は、摩擦嵌め蓋組立体９０又はねじ止め蓋組立体９１の何れかが使用されるとき、その他のプラスチック及び金属容器を選択することを開示し且つ説明することである。蓋組立体９０は、金属リテーナ２４を廃止し、また、外側リップ部２８の形状及び形態を変更する点を除いて、蓋組立体２０と実質的に同一である。その他の点にて、閉鎖キャップ９２は、全ての構造的特徴、材料、寸法及びキャップ本体、ベールハンドル及びフラップの関係を含んで、閉鎖キャップ２３と同一である。フラップ９３は、フラップ６９と同一であり、フラップ６９と実質的に同一の態様にて最初にその位置に折り畳まれ且つ差し込まれる。フラップ９３は、注ぎ口９５をその入れ子式に収納した向きから伸ばす過程の一貫としてベールハンドル又はハンドル９４が持ち上げられたとき、フラップ６９と同一の態様にても展開する。
【００３０】
蓋本体９７の環状の外側リップ部９６は、フランジ部分９６ａと、凹状の環状通路９６ｂと、垂下するテーパー付きの環状壁９６ｃとを有する摩擦嵌めの形状の形態とされている。このリップ部９６の形態は、プラスチック容器９８の開口部９８ａ内に軸方向に押し込む（又は挿入する）摩擦嵌めに適している（図２６参照）。これと同一様式のリップ部９６は、金属容器９９の開口部９９ａ内へ軸方向に押し込む（又は挿入する）摩擦嵌めに適している（図２７ないし図２９参照）。
【００３１】
開口部９８ａは、全体として円形であり、また、リップ部９６を緊密に且つ強固にスナップ嵌め組み付け状態にて受け入れる形態及び形状を有する。環状壁９６ｃのテーパー付きの形態は、蓋本体９７の軸方向への挿入を容易にする。開口部９９ａは全体として円形であり、また、リップ部９６を緊密に且つ強固にスナップ嵌め組み付け状態にて受け入れる形態及び形状を有する。環状壁９６ｃのテーパー付きの形態であることは、蓋本体９７の軸方向への挿入を容易にする。
【００３２】
次に、図３０、図３１、図３２を参照すると、蓋組立体９１は、分与開口部１０３を画成する隆起した（プラスチック）外ねじ付き流出口壁１０２に螺着し得る構造及び配置とされている。容器端部１０４には、凹状パネル１０４ａが形成され、蓋組立体９１は、取り付けられたとき、容器端部１０４の外面とほぼ面一となるであろう。
【００３３】
蓋組立体９１は、金属リテーナ２４を廃止し、また、外側リップ部２８の形状及び形態を変更する点を除いて、蓋組立体２０と実質的に同一である。その他の点にて、閉鎖キャップ１０５は、全ての構造的特徴、材料、寸法及びキャップ本体、ベールハンドル及びフラップの関係を含んで、閉鎖キャップ２３と同一である。フラップ１０６は、フラップ６９と同一であり、最初、フラップ６９と実質的に同一の態様にてその位置に折り畳まれ且つ差し込まれる。フラップ１０６は、また、注ぎ口１０８をその入れ子式に収納した向きから伸ばす過程の一貫として、１つ又は複数のベールハンドル１０７が持ち上げられたとき、フラップ６９と同一の態様にて展開する。
【００３４】
蓋本体１１０の環状の外側リップ部１０９は、内ねじ付きの垂下する環状壁１１１を有する形態とされている。ねじ付き壁１１１は、流出口壁１０２に緊密に且つ確実に螺着し得る構造及び配置とされている（図３１参照）。
【００３５】
図面及び以上の説明にて本発明を詳細に示し且つ説明したが、これは説明のためであり、特徴を限定するものではないとみなすべきであり、また、好ましい実施の形態のみを示し且つ説明したものであり、本発明の精神に属する全ての変更例及び改変例が保護されることを望むものであることが理解される。
【図面の簡単な説明】
【００３６】
【図１】本発明の１つの典型的な実施の形態に従って、容器の隆起した流出口に組み付けられたときの蓋組立体の完全な断面図とした正面立面図である。
【図２】図１の蓋組立体の全体を示す完全な頂面図である。
【図３】図１の蓋組立体の全体を示す完全な底面図である。
【図４】金属容器の流出口開口部を画成する隆起した容器の流出口壁の完全な断面図として正面立面図である。
【図５】プラスチック容器の流出口開口部を画成する隆起した容器の流出口壁の完全な断面図とした正面立面図である。
【図６】本発明に従った図１の蓋組立体の１つの構成要素部品を備える蓋本体の完全な断面図とした正面立面図である。
【図７】図６の蓋本体の全体を示す完全な頂面図である。
【図８】図１の蓋組立体の１つの構成要素部品を備える、不正開封明示の閉鎖キャップの完全な断面図とした正面立面図である。
【図９】図８の不正開封明示の閉鎖キャップの全体を示す完全な頂面図である。
【図１０】図１の容器無しにて図１の蓋組立体の完全な断面図とした正面立面図である。
【図１１】図１０の蓋組立体の一部分の完全な断面図とした拡大正面立面図である。
【図１２】本発明に従った図１の蓋組立体の１つの構成要素部品を備えるリテーナの完全な断面図とした正面立面図である。
【図１３】図１２のリテーナの全体を示す完全な頂面図である。
【図１４】持ち上がった向きにて示した１対のベールハンドルを有する図１の蓋組立体の頂面図である。
【図１５】持ち上がったベールハンドルを有する図１４の蓋組立体の完全な断面図とした正面立面図である。
【図１６】ベールハンドルが持ち上がった向きから解放された後、図１４の蓋組立体の完全な断面図とした正面立面図である。
【図１７】展開されすなわち非差し込み位置にある不正開封明示フラップを示す、図１６の蓋組立体の全体の完全な頂面図である。
【図１８】不正開封明示の閉鎖キャップが除去され、蓋本体が伸びた状態にある、図１の蓋組立体の完全な断面図した正面立面図である。
【図１９】引き裂き隔膜を除去する状態を示す、図１８の蓋組立体の分解図である。
【図２０】その通気耳状部が展開した、図１９の蓋組立体の全体を示す完全な底面図である。
【図２１】容器の中身を分与し得るよう所望の向きに撓んだ、図１の蓋本体を示す完全な断面図とした正面立面図である。
【図２２】注ぎ口が伸びたときの通気耳状部の向きを示す、図１の蓋本体の全体の完全な底面図である。
【図２３】空気及び流体の流れを示し得るよう、相応する容器が分与する向きに傾いた状態にある、図２１の蓋本体の完全な断面図とした正面立面図である。
【図２４】本発明の別の実施の形態に従った蓋組立体の完全な断面図とした正面立面図である。
【図２５】図２４の蓋組立体の頂面図である。
【図２６】図２４の蓋組立体を受け入れるプラスチック容器の開口部の完全な断面図とした部分正面立面図である。
【図２７】図２４の蓋組立体を受け入れる金属容器の開口部の完全な断面図とした部分正面立面図である。
【図２８】図２７の容器の開口部内に取り付けられたときの、図２４の蓋組立体の完全な断面図とした正面立面図である。
【図２９】図２８の組立体の頂面図である。
【図３０】本発明に従った蓋組立体を受け入れるプラスチック容器の開口部の完全な断面図とした部分正面立面図である。
【図３１】螺着係合によって図３０の容器に組み付けられたときの、本発明に従った蓋組立体の完全な断面図とした正面立面図である。
【図３２】図３１の組立体の頂面図である。
【符号の説明】
【００３７】
１９    容器端部／ドラム
１９ａ    容器端部１９の上面
２０    蓋組立体
２１    金属ドラムの端部の流出口開口部
２２    蓋本体
２３    不正開封明示閉鎖キャップ
２４    環状金属リテーナ
２７    流出口壁
２８    環状流出口リップ部／外側リップ部
２９    環状通路
３０    分与端部
３１    注ぎ口
３４    湾曲した上側端縁
３５    垂下する内側リップ部
３６    プラスチックドラムの端部の流出口開口部
３７    隆起した流出口壁
３８    ドラム（容器）端部
３９    湾曲した上側端縁
４２    レリーフ
４３    レリーフ
４４    閉鎖キャップ２３のベールハンドル
４５    閉鎖キャップ２３のベールハンドル
４８    反転可能な折り畳み部
４９    引き裂き隔膜
５０    引っ張りリング
５０ａ    引っ張りリング５０の接続ポスト
５０ｂ    引っ張りリング５０の自由端
５１    環状目打ち線
５２    注ぎ口３１の内面
５３    円筒状部分
５４    外側の截頭円錐形部分
５７    通気耳状部
５８    折り畳み部
５９    中心線
６０    通路
６１    可撓性の壁
６２    内面
６７    活性ヒンジ
６８    活性ヒンジ
６９    円弧状の可撓性の「警告」フラップ
７０    金属リテーナ２４の環状内壁
７６    点Ａ、Ｂの間に存在する部分／厚い壁部分
７７    中央流れ開口部
７８    外方通気開口部
８７    厚い記憶バンド部
９０    蓋本体
９１    ねじ止め蓋組立体
９２    閉鎖キャップ
９３    フラップ
９４    ハンドル
９５    注ぎ口
９６    リップ部
９６ａ    フランジ部分
９６ｂ    凹状の環状通路
９６ｃ    垂下するテーパー付きの環状壁
９７    蓋本体
９８    プラスチック容器
９８ａ    プラスチック容器９８の開口部
９９    金属容器
９９ａ    金属容器９９の開口部
１０２    隆起した（プラスチック）外ねじ付き流出口壁
１０３    分与開口部
１０４    容器端部
１０４ａ    凹状パネル
１０５    閉鎖キャップ
１０６    フラップ
１０７    ベールハンドル
１０８    注ぎ口
１０９    外側リップ部
１１０    蓋組立体
１１１    内ねじ付きの垂下する環状壁
Ａ    点
Ｂ    点
【図１】
0005356659.tif 000002
【図２】
0005356659.tif 000003
【図３】
0005356659.tif 000004
【図４】
0005356659.tif 000005
【図５】
0005356659.tif 000006
【図６】
0005356659.tif 000007
【図７】
0005356659.tif 000008
【図８】
0005356659.tif 000009
【図９】
0005356659.tif 000010
【図１０】
0005356659.tif 000011
【図１１】
0005356659.tif 000012
【図１２】
0005356659.tif 000013
【図１３】
0005356659.tif 000014
【図１４】
0005356659.tif 000015
【図１５】
0005356659.tif 000016
【図１６】
0005356659.tif 000017
【図１７】
0005356659.tif 000018
【図１８】
0005356659.tif 000019
【図１９】
0005356659.tif 000020
【図２０】
0005356659.tif 000021
【図２１】
0005356659.tif 000022
【図２２】
0005356659.tif 000023
【図２３】
0005356659.tif 000024
【図２４】
0005356659.tif 000025
【図２５】
0005356659.tif 000026
【図２６】
0005356659.tif 000027
【図２７】
0005356659.tif 000028
【図２８】
0005356659.tif 000029
【図２９】
0005356659.tif 000030
【図３０】
0005356659.tif 000031
【図３１】
0005356659.tif 000032
【図３２】
0005356659.tif 000033